(57)【特許請求の範囲】
【請求項１】
識別データを有する複数の音楽関連データを記憶する記憶手段と、
ユーザの指示を入力する複数のスイッチで構成される入力手段と、
第１のモードと第２のモードを切り替える切替手段と、
前記第１のモードにある時は、前記複数のスイッチのそれぞれに前記複数の音楽関連データの内の１つを割当て、前記第２のモードにある時は、複数のスイッチのそれぞれに前記識別データを入力するための数字又は文字を割り当てる割当て手段と、
前記第１のモードにある時は、前記複数のスイッチと前記複数の音楽関連データの対応関係を表示し、前記第２のモードにある時は、前記複数の音楽関連データの識別データを表示する表示手段と、
前記第１のモードにある時に、前記複数のスイッチのいずれかに対する操作があった場合は、当該操作されたスイッチに割り当てられた音楽関連データを前記記憶手段から読み出し、前記第２のモードにある時に、前記スイッチにより数字又は文字が入力された場合は、当該入力された数字または文字に対応する識別データを有する音楽関連データを前記記憶手段から読み出す読み出し手段と、
前記第１のモードから前記第２のモードに切り替える場合は、前記第１のモードにおいて操作されたスイッチに対応する音楽関連データを含む複数の音楽関連データの識別データを前記第２のモードにおいて前記表示手段に表示させるように制御し、前記第２のモードから前記第１のモードに切り替える場合は、前記第２のモードにおいて入力された数字または文字に対応する音楽関連データを含む複数の音楽関連データと前記複数のスイッチとの対応関係を前記第１のモードにおいて前記表示手段に表示させるように制御する表示制御手段と
を有する選択制御装置。
【請求項２】
識別データを有する複数の音楽関連データを記憶する記憶手段と、ユーザの指示を入力する複数のスイッチで構成される入力手段とを有する電子音楽装置における選択制御プログラムであって、
第１のモードと第２のモードを切り替える切替手順と、
前記第１のモードにある時は、前記複数のスイッチのそれぞれに前記複数の音楽関連データの内の１つを割当て、前記第２のモードにある時は、複数のスイッチのそれぞれに前記識別データを入力するための数字又は文字を割り当てる割当て手順と、
前記第１のモードにある時は、前記複数のスイッチと前記複数の音楽関連データの対応関係を表示手段に表示し、前記第２のモードにある時は、前記複数の音楽関連データの識別データを表示手段に表示する表示手順と、
前記第１のモードにある時に、前記複数のスイッチのいずれかに対する操作があった場合は、当該操作されたスイッチに割り当てられた音楽関連データを前記記憶手段から読み出し、前記第２のモードにある時に、前記スイッチにより数字又は文字が入力された場合は、当該入力された数字または文字に対応する識別データを有する音楽関連データを前記記憶手段から読み出す読み出し手順と、
前記第１のモードから前記第２のモードに切り替える場合は、前記第１のモードにおいて操作されたスイッチに対応する音楽関連データを含む複数の音楽関連データの識別データを前記第２のモードにおいて前記表示手段に表示させるように制御し、前記第２のモードから前記第１のモードに切り替える場合は、前記第２のモードにおいて入力された数字または文字に対応する音楽関連データを含む複数の音楽関連データと前記複数のスイッチとの対応関係を前記第１のモードにおいて前記表示手段に表示させるように制御する表示制御手順と
を有する選択制御処理をコンピュータに実行させるためのプログラム。
【発明の詳細な説明】
【０００１】
【発明の属する技術分野】
本発明は、選択制御装置に関し、より詳しくは、複数の録音トラックを有する録音装置におけるトラック毎の選択制御をする選択制御装置に関する。
【０００２】
【従来の技術】
従来から、複数の音色、ソングファイル（演奏データ）や、スタイルデータの中から１つのファイルを選択して、設定又は演奏することの出来る電子楽器がある。
【０００３】
このような電子楽器では、表示部に複数個のファイル名等を表示し、それぞれにスイッチをひとつずつ割り当てられる。ユーザは、希望するファイルに対応するスイッチを操作することにより、ファイルを選択する。
【０００４】
通常電子楽器には、１画面では表示できない数のファイルが記憶されているので、上記の選択画面は複数ページにわたる。ページを切り替えると、新たに複数個のファイル名が表示されるようになっている。
【０００５】
【発明が解決しようとする課題】
電子楽器には、上記のファイル選択方法しか用意されていないが、この方法は、選択したいファイルが、現在表示中の画面に含まれない場合に、選択したいファイルが表示されるまでページを切り替えなければならず、ファイルの選択に時間がかかる場合が多い。
【０００６】
また、一度に表示されるファイル数を少なくしているので、初心者にとっては、視認性もよく、操作しやすいのだが、その装置になれたものにとっては、ファイル選択に時間がかかり、かえって煩わしいものとなる場合がある。
【０００７】
本発明の目的は、ユーザの好みの選択方法でファイルの選択作業を行うことの出来る選択制御装置を提供することである。
【０００８】
【課題を解決するための手段】
本発明の一観点によれば、選択制御装置は、識別データを有する複数の音楽関連データを記憶する記憶手段と、ユーザの指示を入力する複数のスイッチで構成される入力手段と、第１のモードと第２のモードを切り替える切替手段と、前記第１のモードにある時は、前記複数のスイッチのそれぞれに前記複数の音楽関連データの内の１つを割当て、前記第２のモードにある時は、複数のスイッチのそれぞれに前記識別データを入力するための数字又は文字を割り当てる割当て手段と、前記第１のモードにある時は、前記複数のスイッチと前記複数の音楽関連データの対応関係を表示し、前記第２のモードにある時は、前記複数の音楽関連データの識別データを表示する表示手段と、前記第１のモードにある時に、前記複数のスイッチのいずれかに対する操作があった場合は、当該操作されたスイッチに割り当てられた音楽関連データを前記記憶手段から読み出し、前記第２のモードにある時に、前記スイッチにより数字又は文字が入力された場合は、当該入力された数字または文字に対応する識別データを有する音楽関連データを前記記憶手段から読み出す読み出し手段と、前記第１のモードから前記第２のモードに切り替える場合は、前記第１のモードにおいて操作されたスイッチに対応する音楽関連データを含む複数の音楽関連データの識別データを前記第２のモードにおいて前記表示手段に表示させるように制御し、前記第２のモードから前記第１のモードに切り替える場合は、前記第２のモードにおいて入力された数字または文字に対応する音楽関連データを含む複数の音楽関連データと前記複数のスイッチとの対応関係を前記第１のモードにおいて前記表示手段に表示させるように制御する表示制御手段とを有する。
【０００９】
【発明の実施の形態】
図１は、本実施例による選択制御装置１を構成する電子楽器のハードウェア構成を示すブロック図である。
【００１０】
選択制御装置（電子楽器）１のバス２には、ＲＯＭ３、ＲＡＭ４、ＣＰＵ５、タイマ６、検出回路７、表示回路９、外部記憶装置１１、音源回路１２、ＭＩＤＩインターフェイス１４、通信インターフェイス１６が接続される。
【００１１】
ＲＯＭ３には、音色データ、スタイルデータ、演奏データ、各種パラメータ及び制御プログラム、又は本実施例を実現するためのプログラム等を記憶することができる。なお、本明細書では、音色データ、スタイルデータ、演奏データ等の楽音の生成又は演奏に関するデータを音楽関連データと呼ぶ。また、音色データ等の音楽関連データには、それぞれ固有の識別データが付されている。
【００１２】
ＲＡＭ４は、フラグ、レジスタ又はバッファ、各種パラメータ等を記憶するＣＰＵ５のワーキングエリアを有する。
ＣＰＵ５は、ＲＯＭ３又は、外部記憶装置１１に記憶されている制御プログラム等に従い、演算又は制御を行う。タイマ６は、バス２に接続されており、基本クロック信号、再生処理タイミング等をＣＰＵ５に供給する。
【００１３】
パネル操作子８ａは、例えば、複数のスイッチ、文字入力用キーボード、マウス等であり、検出回路７に接続される。パネル操作子８ａは、ユーザの入力に応じた信号を出力できるものならどのようなものでもよい。なお、本実施例では、パネル操作子８ａとして、少なくとも図２及び図３に示す画面横スイッチ８ａＬ、画面横スイッチ８ａＲ（確定スイッチ８ａＤを含む）、画面下スイッチ８ａＢ、切替スイッチ８ａＣが、表示部１０の周辺に配置される。ユーザは、これらのスイッチを利用して、音色データ等の音楽関連データの選択を行う。また、切替スイッチ８ａＣを利用して、例えば、図２及び図３に示すような、音色選択画面の切替を行う。
【００１４】
演奏操作子８ｂは、ユーザの操作に応じた演奏信号を音源回路１２に供給する。本実施例では、複数の鍵を有する鍵盤を演奏操作子として用いる。
表示回路９は、表示部１０に接続され、図２に示す音色選択画面、図３に示す音色リスト画面、及び各種情報を表示部１０に表示することができる。ユーザは、この表示部１０に表示される情報を参照して、例えば、音色の選択等を行う。また、各種情報の入力及び各種設定を行う。
【００１５】
外部記憶装置１１は、外部記憶装置用のインターフェイスを含み、そのインターフェイスを介してバス２に接続される。外部記憶装置１１は、例えばフロッピー（登録商標）ディスクドライブ（ＦＤＤ）、ハードディスクドライブ（ＨＤＤ）、光磁気ディスク（ＭＯ）ドライブ、ＣＤ−ＲＯＭ（コンパクトディスク−リードオンリィメモリ）ドライブ、ＤＶＤ（Ｄｉｇｉｔａｌ Ｖｅｒｓａｔｉｌｅ Ｄｉｓｃ）ドライブ、半導体メモリ等である。
【００１６】
外部記憶装置１１には、音色データ、スタイルデータ、演奏データ等の音楽関連データ、各種パラメータ、各種データ、及び本実施例を実現するためのプログラム等を記憶することができる。
【００１７】
外部記憶装置１１からＲＡＭ４に制御プログラム又は本実施例を実現するためのプログラム等を読み出すことにより、ＲＯＭ３に制御プログラム等を記憶させている場合と同様の動作をＣＰＵ５にさせることができる。このようにすると、制御プログラム等の追加やバージョンアップ等が容易に行える。
【００１８】
通信インターフェイス１６は、ＬＡＮ（ローカルエリアネットワーク）やインターネット、電話回線等の通信ネットワーク１７に接続可能であり、該通信ネットワーク１７を介して、サーバコンピュータと接続し、ＨＤＤ等外部記憶装置１１、又はＲＡＭ４等内に、サーバコンピュータから演奏データ、制御プログラムや本実施例を実現するためのプログラム等をダウンロードすることができる。
【００１９】
なお、通信インターフェイス１６及び通信ネットワーク１７は、有線のものに限らず無線でもよい。また双方を備えていてもよい。
音源回路１２は、外部記憶装置１１又はＲＡＭ４等に記録された演奏データ、演奏操作子８ｂから供給される演奏信号、若しくはＭＩＤＩインターフェイス１４に接続されたＭＩＤＩ楽器１５等から供給される演奏信号、ＭＩＤＩ信号等に応じてユーザが選択する音色で楽音信号を生成し、サウンドシステム１３に供給する。
【００２０】
サウンドシステム１３は、Ｄ／Ａ変換器及びスピーカを含み、供給されるデジタル形式の楽音信号をアナログ形式に変換し、発音する。
ＭＩＤＩインターフェイス（ＭＩＤＩ  Ｉ／Ｆ）１４は、ＭＩＤＩ楽器１５、その他の楽器、音響機器、コンピュータ等に接続できるものであり、少なくともＭＩＤＩ信号を送受信できるものである。
【００２１】
図２は、図１の表示部１０に表示される音色選択画面（スイッチ画面）１０１及び各種スイッチ（パネル操作子）８ａの構成の一例を表す図である。
音色選択画面１０１は、本実施例の電子楽器１で利用可能な音色毎に音色名と音色を表すアイコンを表示し、表示される文字のサイズを大きくすることで、音色の視認性を上げている。そのため、表示可能な音色数は、減少するが、初心者には、見やすい構成となっている。なお、図２では、音色を表すアイコンを便宜的に「丸」や「四角」等の記号で表したが、音色を表すアイコンは、例えば、ピアノの音色であれば、ピアノの形のアイコンにして、直感的に音色の種類がわかるようにするとよい。
【００２２】
音色選択画面１０１では、各音色は、各画面横スイッチ８ａＬ及び８ａＲの真横に配置され、ユーザは、希望する音色の真横にある各画面横スイッチ８ａＬ又は８ａＲを操作することにより、音色を選択することが出来る。
【００２３】
音色選択画面１０１では、一度に表示できる音色数が少ないため、複数のページで構成されている。例えば、本実施例では、５０ページの音色選択画面１０１が用意されている。ユーザは、画面下スイッチ８ａＢを操作することにより、表示部１０に表示させる音色選択画面１０１のページを選択することが出来る。
【００２４】
切替スイッチ８ａＣは、表示部１０に表示される画面を切り替えるためのもので、これを操作すると、音色選択画面１０１の代わりに、図３に示す音色リスト画面１０２が表示される。
【００２５】
図３は、図１の表示部１０に表示される音色リスト画面（テンキー画面）１０２及び各種スイッチ（パネル操作子）８ａの構成の一例を表す図である。
表示部１０の周辺部に配置されるスイッチ群は、図２の例と同一であるが、それぞれのスイッチに割り当てられる機能が異なる。また、音色選択画面１０１と音色リスト画面１０２に表示される音色群の内容は同じものであるが、その表示方法と選択の方法が異なる。
【００２６】
音色リスト画面１０２は、本実施例の電子楽器１で利用可能な音色名をリストにして表示する画面である。音色リスト画面１０２では、表示する文字サイズを小さくして、１画面に出来るだけ多くの音色名を表示できるようにする。それによって、音色リスト画面１０２に一度に表示される音色数を音色選択画面１０１の１ページに表示される音色数より多くする。なお、図３では、音色名のリストを１列にしたが、２列や３列等、複数列のリストを表示するようにしても良い。
【００２７】
音色リスト画面１０２では、左右の各画面横スイッチ８ａＬ及び８ａＲのそれぞれに０〜９までの数字が割り当てられている。また、画面横スイッチ８ａＲの１つが、確定スイッチ８ａＤとされている。
【００２８】
ユーザは、各音色に付されている識別番号を上記の数字が割り当てられた画面横スイッチ８ａＬ又は８ａＲを操作することにより入力する。識別番号の入力後に、確定スイッチ８ａＤを操作することにより、該識別番号を持つ音色データが読み出される。
【００２９】
なお、音色リスト画面１０２の画面上に表示されていない音色でも、その音色の識別番号を入力することにより、選択することが出来る。
画面下スイッチ８ａＢには、それぞれ音色リスト画面１０２のスクロール機能が割り当てられている。
【００３０】
切替スイッチ８ａＣは、表示部１０に表示される画面を切り替えるためのもので、これを操作すると、音色リスト画面１０２の代わりに、図２に示す音色選択画面１０１が表示される。
【００３１】
図４、図１のＣＰＵ５で行う本実施例によるスイッチ画面処理を表すフローチャートである。このスイッチ画面処理は、選択制御装置１で音色選択モードを開始する操作があった時、又は図５のステップＳＢ９で、例えば、図２に示す音色選択画面１０１を表示して、開始される処理である。このスイッチ画面処理は、電子楽器１の鍵盤に割り当てる音色を選択するときや、作成しているソングデータ（演奏データ）に割り当てる音色を選択するときなどに用いる。また、音色選択画面１０１を表示する時は、同時に、画面横スイッチ８ａＬ及び８ａＲ（図２）に、音色選択画面１０１に表示されている音色を割り当てる。
【００３２】
ステップＳＡ１では、スイッチ画面処理を開始して、次のステップＳＡ２に進む。
ステップＳＡ２では、画面横スイッチ８ａＬ又は８ａＲ（図２）の操作を検出したか否かを判断する。操作を検出した場合は、ＹＥＳの矢印で示すステップＳＡ３に進む。検出しない場合は、ＮＯの矢印で示すステップＳＡ４に進む。
【００３３】
ステップＳＡ３では、ステップＳＡ２で操作を検出した画面横スイッチ８ａＬ又は８ａＲに割り当てられている音色を読み出して設定する。その後、次のステップＳＡ４に進む。ここで、設定とは、例えば、選択された音色を鍵盤８ｂ（図１）に割り当てたり、ソングデータ（演奏データ）に記録したりすることである。
【００３４】
なお、音色の設定後、以下の処理を省略して、自動的に音色選択モードを終了させるようにしてもよい。
ステップＳＡ４では、切替スイッチ８ａＣ（図２）以外の画面下スイッチ８ａＢ（図２）の操作を検出したか否かを判断する。操作を検出した場合は、ＹＥＳの矢印で示すステップＳＡ５に進む。操作を検出しない場合は、ＮＯの矢印で示すステップＳＡ７に進む。
【００３５】
ステップＳＡ５では、操作された画面下スイッチ８ａＢに割り当てられているページの画面を表示する。すなわち、選択されたページに対応する新たな音色（本実施例では、１２個）を表示した画面に切り替える。その後、次のステップＳＡ６に進む。
【００３６】
ステップＳＡ６では、新たなページに表示されている音色を画面横スイッチ８ａＬ及び８ａＲのそれぞれに割り当てる。その後、次のステップＳＡ７に進む。ステップＳＡ７では、切替スイッチ８ａＣ（図２）の操作を検出したか否かを判断する。操作を検出した場合は、ＹＥＳの矢印で示すステップＳＡ８に進む。操作を検出しない場合は、ＮＯの矢印で示すステップＳＡ１０に進む。
【００３７】
ステップＳＡ８では、表示中の画面に相当するテンキー画面（例えば、図３の音色リスト画面）を表示部１０に表示する。例えば、音色リスト中で、現在表示されている音色を含む部分を表示する。その後、次のステップＳＡ９に進む。
【００３８】
ステップＳＡ９では、本処理を停止して、図５に示すテンキー画面処理を起動する。その後、ステップＳＡ１１に進み、本処理を終了する。
ステップＳＡ１０では、本処理の終了操作が検出されたか否かを判断する。終了操作が検出された場合は、音色選択モードを終了し、ＹＥＳの矢印で示すステップＳＡ１１に進み、本処理を終了する。終了操作が検出されない場合は、ＮＯの矢印で示すステップＳＡ２に戻る。
【００３９】
図５は、図１のＣＰＵ５で行う本実施例によるテンキー画面処理を表すフローチャートである。テンキー画面処理は、図４のステップＳＡ９で起動される処理である。
【００４０】
ステップＳＢ１では、テンキー画面処理を開始して次のステップＳＢ２に進む。
ステップＳＢ２では、画面横スイッチ８ａＬ又は８ａＲ（図３）の操作を検出したか否かを判断する。操作を検出した場合は、ＹＥＳの矢印で示すステップＳＢ３に進む。検出しない場合は、ＮＯの矢印で示すステップＳＢ５に進む。
【００４１】
ステップＳＢ３では、ステップＳＢ２で操作を検出したのが数値が割り当てられている画面横スイッチ８ａＬ又は８ａＲの操作であれば、操作されたスイッチ８ａＬ又は８ａＲに割り当てられている数値に基づき画面中の選択番号を変更する。その後、次のステップＳＢ４に進む。
【００４２】
現在表示されている選択番号（ステップＳＢ３で入力された識別番号）又は、次のステップＳＢ４で確定された選択番号の音色が表示されるように、リストの表示位置を自動で移動させるようにするとよい。
【００４３】
ステップＳＢ４では、ステップＳＢ２で操作を検出したのが確定スイッチ８ａＤであれば、選択番号と同一の識別番号を有する音色を読出し、設定する。ここで、設定とは、例えば、選択された音色を鍵盤８ｂ（図１）に割り当てたり、ソングデータ（演奏データ）に記録したりすることである。その後、次のステップＳＢ５に進む。
【００４４】
なお、音色の設定後、以下の処理を省略して、自動的に音色選択モードを終了させるようにしてもよい。
ステップＳＢ５では、切替スイッチ８ａＣ（図３）以外の画面下スイッチ８ａＢ（図３）の操作を検出したか否かを判断する。操作を検出した場合は、ＹＥＳの矢印で示すステップＳＢ６に進む。操作を検出しない場合は、ＮＯの矢印で示すステップＳＢ７に進む。
【００４５】
ステップＳＢ６では、画面に表示されているリストを、ステップＳＢ５で操作を検出された画面下スイッチ８ａＢに割り当てられているスクロール方法（上にスクロール、下にスクロール等）により音色リストをスクロールして新たな音色リストを表示する。その後、次のステップＳＢ７に進む。
【００４６】
ステップＳＢ７では、切替スイッチ８ａＣ（図３）の操作を検出したか否かを判断する。操作を検出した場合は、ＹＥＳの矢印で示すステップＳＢ８に進む。操作を検出しない場合は、ＮＯの矢印で示すステップＳＢ１０に進む。
【００４７】
ステップＳＢ８では、表示中の画面に相当するスイッチ画面（例えば、図２の音色選択画面）を表示部１０に表示する。例えば、現在選択（強調表示）されている音色を含むページを表示する。その後、次のステップＳＢ９に進む。
【００４８】
ステップＳＢ９では、本処理を停止して、図４に示すスイッチ画面処理を起動する。その後、ステップＳＢ１１に進み、本処理を終了する。
ステップＳＢ１０では、本処理の終了操作が検出されたか否かを判断する。終了操作が検出された場合は、音色選択モードを終了し、ＹＥＳの矢印で示すステップＳＢ１１に進み、本処理を終了する。終了操作が検出されない場合は、ＮＯの矢印で示すステップＳＢ２に戻る。
【００４９】
以上、本発明の実施例によれば、スイッチ画面（音色選択画面１０１）と、テンキー画面（音色リスト画面１０２）とを交互に切り替えて表示させることが出来る。よって、ユーザが、自分の好きな選択方法で、ファイルの選択作業を行うことが出来、ファイルの選択作業が容易になる。
【００５０】
また、本発明の実施例によれば、初心者は、スイッチ画面（音色選択画面１０１）を利用することで、時間はかかるものの、直感的な操作で、希望のファイルを選択することが出来る。
【００５１】
また、本発明の実施例によれば、装置の扱いになれた者は、テンキー画面（音色リスト画面１０２）を利用することで、すばやく希望のファイルを選択することが出来る。
【００５２】
なお、実施例では、選択するファイルとして、音色データを例に説明したが、これに限らず、複数あるファイルの中からいずれかを選択するものであればどのようなものにも利用することが出来る。例えば、音色以外には、ソングファイル（演奏データ等の楽曲の再生を行うもの）や、スタイルファイル（伴奏等を行うためのデータ）を選択するものとしても利用できる。
【００５３】
また、実施例では、表示部１０の周囲に設けられたパネル操作子８ｂを用いて、操作をしたが、パネル操作子８ｂとしては、直感的な選択操作が行え、かつテンキーとしても利用できれば、どのようなものでもよい。例えば、表示部１０をタッチパネルとして、それをユーザが操作するようにしても良い。
【００５４】
また、本実施例では、スイッチ画面の表示態様として図２に示す音色選択画面１０１を例にしたが、これに限らず、スイッチ画面の表示態様は、操作するスイッチと、ファイル及びファイルの内容が直感的にかつ容易に理解できるような表示態様であれば、どのようなものでも良い。
【００５５】
また、実施例では、テンキー画面を音色リスト画面として説明したが、テンキー画面は、リスト表示に限らず、出来るだけ多くの音色が一度に表示され、音色毎の識別子を確認できれば、どのような表示態様を用いてもよい。
【００５６】
また、実施例では、テンキー画面で、各ファイル（データ）毎の識別番号を入力して選択したが、識別番号に限らず各ファイル固有の識別子であれば、どのようなものであってもよい。例えば、各ファイルのファイル名等であっても良い。その場合には、テンキーとして、数字を割り当てる代わりに、アルファベット等をパネル操作子に割り当てるようにする。
【００５７】
なお、本発明の実施例の選択制御装置１は電子楽器、パソコン＋アプリケーションソフトウェアの形態、携帯電話等の携帯型通信端末の他、カラオケ装置や、ゲーム装置、自動演奏ピアノなどどのような形態をとってもよい。
【００５８】
以上実施例に沿って本発明を説明したが、本発明はこれらに制限されるものではない。例えば、種々の変更、改良、組合せ等が可能なことは当業者に自明であろう。
【００５９】
【発明の効果】
以上説明したように、本発明によれば、ユーザの好みの選択方法でファイルの選択作業を行うことの出来る選択制御装置を提供することが出来る。
【図面の簡単な説明】
【図１】  本実施例による選択制御装置１を構成する電子楽器のハードウェア構成を示すブロック図である。
【図２】  図１の表示部１０に表示される音色選択画面（スイッチ画面）１０１及び各種スイッチ（パネル操作子）８ａの構成の一例を表す図である。
【図３】  図１の表示部１０に表示される音色リスト画面（テンキー画面）１０２及び各種スイッチ（パネル操作子）８ａの構成の一例を表す図である。
【図４】  図１のＣＰＵ５で行う本実施例によるスイッチ画面処理を表すフローチャートである。
【図５】  図１のＣＰＵ５で行う本実施例によるテンキー画面処理を表すフローチャートである。
【符号の説明】
１…選択制御装置（電子楽器）、２…バス、３…ＲＯＭ、４…ＲＡＭ、５…ＣＰＵ、６…タイマ、７…検出回路、８…操作子、９…表示回路、１０…表示部、１１…外部記憶装置、１２…音源回路、１３…サウンドシステム、１４…ＭＩＤＩＩ／Ｆ、１５…ＭＩＤＩ機器、１６…通信インターフェイス、１７…通信ネットワーク、１０１…音色選択画面、１０２…音色リスト画面
【図１】
0003876733.tif 000002
【図２】
0003876733.tif 000003
【図３】
0003876733.tif 000004
【図４】
0003876733.tif 000005
【図５】
0003876733.tif 000006